(57)【要約】【課題】ゴム栓のハウジングからの抜け止めを可能とした上でコネクタが大型化するのを防止する。【解決手段】ハウジング２０の外周面には、板状の張出部２４が張り出して形成されている。張出部２４には、取付孔３０が厚み方向に貫通して形成されている。ゴム栓６０には、取付孔３０に挿入される係止片６５が片持ち状に突出して形成されている。係止片６５の先端部には、係止突起６７が膨出して形成されている。張出部２４における取付孔３０の内周面には、係止突起６７に係止される係止受部３１が形成されている。係止受部３１に係止された係止突起６７が、取付孔３０内に収容されるようになっている。【選択図】図１
2012128959.tif 000002
【特許請求の範囲】
【請求項１】
嵌合相手に嵌合可能なハウジングと、
前記ハウジングの外周面に嵌着され、前記ハウジングが前記嵌合相手に嵌合された状態で、前記ハウジングと前記嵌合相手との間に弾性的に挟持されるゴム栓とを備え、
前記ハウジングの外周面には、板状の張出部が張り出して形成され、前記張出部には、取付孔が厚み方向に形成され、前記ゴム栓には、前記取付孔に挿入される係止片が片持ち状に突出して形成され、かつ、前記ゴム栓の係止片の先端部には、係止突起が膨出して形成されているコネクタであって、
前記張出部における前記取付孔の内周面には、係止突起に係止される係止受部が段付き状に形成され、前記係止受部に係止された前記係止突起が、前記取付孔内に収容されていることを特徴とするコネクタ。
【請求項２】
前記ハウジングが、前記嵌合相手への嵌合側とは反対側で、相手ハウジングに嵌合可能とされ、かつ前記相手ハウジングに嵌合された状態で、前記相手ハウジングの外周面と前記取付孔の内周面との間に前記係止突起の一部が視認可能に配置されることを特徴とする請求項１記載のコネクタ。
【請求項３】
前記嵌合相手には、前記ハウジングが嵌合可能な装着孔が形成され、前記嵌合相手における前記装着孔の開口縁には、前記ハウジングを誘い込むための誘い込み部が拡開して形成され、前記ハウジングの外周面には、前記誘い込み部に挿入可能な段部が張り出して形成され、前記段部には、前記張出部が連なり、かつ前記ゴム栓が当て止め可能とされており、前記取付孔が前記段部にも貫通する形態とされていることを特徴とする請求項１又は２記載のコネクタ。
【請求項４】
前記取付孔の内周面には、前記ゴム栓の係止片を前記係止受部との係止位置に誘導する案内斜面が形成されていることを特徴とする請求項１ないし３のいずれか１項記載のコネクタ。
【発明の詳細な説明】
【技術分野】
【０００１】
本発明は、コネクタに関する。
【背景技術】
【０００２】
特許文献１に記載のコネクタは、相手ハウジングに嵌合可能なハウジングと、ハウジングの外周面に嵌着されるゴム栓とを備えている。ハウジングの外周面には、張出部が張り出して形成され、張出部には、取付孔が貫通して形成されている。ゴム栓には、係止片が後方へ片持ち状に突出して形成され、係止片の先端部には、係止突起が膨出して形成されている。
【０００３】
ハウジングに前方からゴム栓が装着されると、係止片が取付孔を貫通して、係止突起が張出部の後面側に突出して配置される。これにより、係止片が張出部の後面側に掛け止められ、ゴム栓のハウジングからの抜け止めがなされる。
【先行技術文献】
【特許文献】
【０００４】
【特許文献１】実開昭６３−１６２４７０号公報
【発明の概要】
【発明が解決しようとする課題】
【０００５】
ところで、仮に、ハウジングの後面側にも別の嵌合相手が嵌合される場合には、その別の嵌合相手と、張出部の後面側に突出する係止突起とが、互いに干渉するのを回避しなければならない。その場合、係止突起の突出分、ハウジングを後方に拡張することにより、別の嵌合相手に対する嵌合領域を確保することができる。しかしそうなると、コネクタが全体的に大型化するという事情がある。
【０００６】
本発明は上記のような事情に基づいて完成されたものであって、ゴム栓のハウジングからの抜け止めを可能とした上でコネクタが大型化するのを防止することを目的とする。
【課題を解決するための手段】
【０００７】
上記の目的を達成するための手段として、請求項１の発明は、嵌合相手に嵌合可能なハウジングと、前記ハウジングの外周面に嵌着され、前記ハウジングが前記嵌合相手に嵌合された状態で、前記ハウジングと前記嵌合相手との間に弾性的に挟持されるゴム栓とを備え、前記ハウジングの外周面には、板状の張出部が張り出して形成され、前記張出部には、取付孔が厚み方向に形成され、前記ゴム栓には、前記取付孔に挿入される係止片が片持ち状に突出して形成され、かつ、前記ゴム栓の係止片の先端部には、係止突起が膨出して形成されているコネクタであって、前記張出部における前記取付孔の内周面には、係止突起に係止される係止受部が段付き状に形成され、前記係止受部に係止された前記係止突起が、前記取付孔内に収容されているところに特徴を有する。
【０００８】
請求項２の発明は、請求項１に記載のものにおいて、前記ハウジングが、前記嵌合相手への嵌合側とは反対側で、相手ハウジングに嵌合可能とされ、かつ前記相手ハウジングに嵌合された状態で、前記相手ハウジングの外周面と前記取付孔の内周面との間に前記係止突起の一部が視認可能に配置されるところに特徴を有する。
【０００９】
請求項３の発明は、請求項１又は２に記載のものにおいて、前記嵌合相手には、前記ハウジングが嵌合可能な装着孔が形成され、前記嵌合相手における前記装着孔の開口縁には、前記ハウジングを誘い込むための誘い込み部が拡開して形成され、前記ハウジングの外周面には、前記誘い込み部に挿入可能な段部が張り出して形成され、前記段部には、前記張出部が連なり、かつ前記ゴム栓が当て止め可能とされており、前記取付孔が前記段部にも貫通する形態とされているところに特徴を有する。
【００１０】
請求項４の発明は、請求項１ないし３のいずれか１項に記載のものにおいて、前記取付孔の内周面には、前記ゴム栓の係止片を前記係止受部との係止位置に誘導する案内斜面が形成されているところに特徴を有する。
【発明の効果】
【００１１】
＜請求項１の発明＞
張出部における取付孔の内周面には、係止突起に係止される係止受部が形成され、係止受部に係止された係止突起が取付孔内に収容されているから、仮に、ハウジングにおいて張出部を挟んで嵌合相手が嵌合される側とは反対側に、相手ハウジング等の別の嵌合相手が嵌合されようとしても、その別の嵌合相手と係止突起とが干渉するのが回避される。この場合、係止突起が取付孔内に収容されているため、ハウジングを拡張させずに済み、コネクタが大型化するのを防止できる。
【００１２】
＜請求項２の発明＞
相手ハウジングに嵌合された状態で、相手ハウジングの外周面と取付孔の内周面との間に係止突起の一部が視認可能に配置されるため、ゴム栓が正規位置に装着されているのかどうかを確認できる。
【００１３】
＜請求項３の発明＞
取付孔が段部にも貫通する形態とされているため、段部の分、取付孔の長さが長くなり、係止片の長さが適正に確保される。
【００１４】
＜請求項４の発明＞
取付孔の内周面には係止片を係止受部との係止位置に誘導する案内斜面が形成されているため、ゴム栓の装着動作に連動させて、係止片を係止位置に確実に至らすことができる。
【図面の簡単な説明】
【００１５】
【図１】本発明の実施形態１に係るコネクタの断面図である。
【図２】コネクタが嵌合相手に嵌合された状態をあらわす断面図である。
【図３】ハウジングの正面図である。
【図４】ハウジングの側面図である。
【図５】ハウジングの背面図である。
【図６】相手ハウジングに嵌合されるコネクタの正面図である。
【図７】ゴム栓の正面図である。
【図８】ゴム栓の側面図である。
【図９】実施形態２に係るコネクタにおいて、ゴム栓を装着する前の状態をあらわす要部拡大断面図である。
【図１０】ゴム栓を装着する過程の状態をあらわす要部拡大断面図である。
【図１１】ゴム栓を装着した状態をあらわす要部拡大断面図である。
【発明を実施するための形態】
【００１６】
＜実施形態１＞
本発明の実施形態１を図１ないし図８によって説明する。実施形態１に係るコネクタ１０は、ハウジング２０と、端子金具５０と、ゴム栓６０とを備えている。ハウジング２０は、嵌合相手となる機器８０に嵌合可能とされ、かつ機器８０への嵌合側とは反対側で、別の嵌合相手となる相手ハウジング９０に嵌合可能とされている。
【００１７】
機器８０には、図２に示すように、相手ハウジング９０を嵌合可能な嵌合孔８１が形成されている。機器８０の嵌合孔８１の開口側には、奥側より大径のゴム栓嵌合部８２が形成されている。また、嵌合孔８１のゴム栓嵌合部８２の開口縁には、テーパ状の誘い込み部８３が拡開して形成されている。
【００１８】
ハウジング２０は合成樹脂製であって、図１及び図４に示すように、ブロック状のハウジング本体２１と、ハウジング本体２１の前端周縁から前方に突出する筒状のフード部２２とを有している。ハウジング本体２１には、ピン状の端子金具５０が装着されている。端子金具５０は、導電金属製であって、その中間部がハウジング本体２１を貫通し、その前端部がフード部２２内に突出し、その後端部がハウジング本体２１の後面から後方に突出して配置されている。端子金具５０の前端部は、相手ハウジング９０に装着された相手端子金具（図示せず）と電気的に接続され、端子金具５０の後端部は、機器８０側の導電部（図示せず）と電気的に接続される。ハウジング本体２１の後面の幅方向両端部には、端子金具５０の後端部を挟んだ幅方向両側に、一対の保護壁２３が突出して形成されている。端子金具５０の後端部は、両保護壁２３によって保護状態に置かれている。
【００１９】
ハウジング本体２１の外周面の前端には、フード部２２との境界位置に、板状の張出部２４が全周に亘って張り出して形成されている。張出部２４は、図３に示すように、正面から視ると四角に丸みのついた略平行四辺形状をなし、その対角二角に、一対の固定孔２５が厚み方向（板厚方向）に貫通して形成されている。張出部２４の前面には、円筒部２６が突出して形成されている。固定孔２５は、円筒部２６内に配置されている。
【００２０】
ハウジング本体２１の外周面には、図５に示すように、張出部２４の後面に連なる段部２７が周方向に突出して形成されている。ハウジング本体２１の外周面のうち、段部２７よりも後方には、ゴム栓装着面２８が全周に亘って形成されている。
【００２１】
また、張出部２４の後面には、両固定孔２５の位置する角部とは別の対角二角に、一対の位置決め部２９が突出して形成されている。両位置決め部２９は、円柱状をなし、ハウジング２０の機器８０への嵌合時に、機器８０に開口する位置決め受部（図示せず）に位置決め状態で嵌合される。
【００２２】
そして、張出部２４及び段部２７には、位置決め部２９の位置する角部と同じ対角領域に、一対の取付孔３０が厚み方向（前後方向）に貫通して形成されている。両取付孔３０は、内外で対向する円弧縁を有し、正面から視て扇状をなしている。そして、張出部２４の取付孔３０の内周面には、係止受部３１が段付き状に形成されている。係止受部３１は、径方向（前後方向と直交する方向）に沿った前向きの壁面とされている。取付孔３０の内周面において係止受部３１を挟んだ前後両側のうちの前側は、後側よりも大きな開口径とされている。そして、係止受部３１は、張出部２４の厚み方向中央よりも段部２７寄りとなる後方に配置されている。
【００２３】
続いてゴム栓６０について説明すると、ゴム栓６０はシリコンゴム等のゴム製であって、図７及び図８に示すように、筒状のゴム栓本体６１を有している。このゴム栓本体６１は、幅方向に長く延び、四隅に丸みのついた矩形環状をなしている。ゴム栓本体６１の外周面の前後方向ほぼ中央部には、複数条の外周リップ６２が全周に亘って突出して形成されている。また、ゴム栓本体６１の内周面には、外周リップ６２とは異なる位相で内周リップ６３が全周に亘って突出して形成されている。本実施形態の外周リップ６２は、浅底の溝部６４を挟んだ前後両側に対をなし、その前後両面が厚み方向に対して緩傾斜とされ、溝部６４の両対向面が厚み方向に対して急傾斜とされている。
【００２４】
ゴム栓本体６１の対角二角には、一対の係止片６５が片持ち状に突出して形成されている。係止片６５は、前後方向に延びる板状の係止本体６６を有している。係止本体６６の断面形状は、取付孔３０に対応した扇状をなしている。そして、係止本体６６の先端部（前端部）には、係止突起６７が全周に亘って膨出して形成されている。係止突起６７には、先端に向けて次第に縮径するテーパ状の案内面６８が形成されている。
【００２５】
本実施形態に係るコネクタ１０の構成は上述の通りであり、続いて、その作用効果を説明する。
まず、ハウジング２０のゴム栓装着面２８に後方からゴム栓６０を装着する。ゴム栓６０が装着される過程では、係止片６５の内周面がゴム栓装着面２８を摺動するとともに、係止片６５の係止突起６７が案内面６８で案内されつつ取付孔３０内に圧入されて弾性変形させられる。ゴム栓６０が正規装着されると、ゴム栓本体６１の前端が段部２７に当て止めさせられ、かつ係止突起６７が弾性復帰して係止受部３１の前方に係止可能に配置される。これにより、ゴム栓６０の後方への抜けが規制される。この場合、係止突起６７の全体は、取付孔３０の前側領域に収容される。このため、係止片６５の先端側が張出部２４の前面側に突き出ることはない。
【００２６】
上記の状態で、機器８０の嵌合孔８１内にハウジング２０を嵌合させる。嵌合過程では、ゴム栓６０が、誘い込み部８３に摺動可能に案内されつつゴム栓嵌合部８２に円滑に挿入される。ハウジング２０が正規深さで嵌合されると、段部２７がゴム栓嵌合部８２内に挿入され、かつゴム栓６０がハウジング２０と機器８０との間に径方向に弾性的に挟持させられる。このとき、外周リップ６２がゴム栓嵌合部８２の内周面に弾性的に圧潰されるとともに、内周リップ６３がハウジング２０のゴム栓装着面２８に弾性的に圧潰され、もって機器８０とハウジング２０との間が液密にシールされる。そして、張出部２４の固定孔２５に前方からボルト７０が挿入され、挿入されたボルト７０が機器８０側にねじ込まれる。これにより、図２に示すように、コネクタ１０が機器８０に取り付けられる。
【００２７】
その後、ハウジング２０に前方から相手ハウジング９０を嵌合させる。この場合、相手ハウジング９０は、ハウジング２０のフード部２２に外嵌される。すると、図６に示すように、相手ハウジング９０の外壁９１によって取付孔３０の径方向内側が隠蔽される。一方、取付孔３０の径方向外側は前方に露出され、相手ハウジング９０の外周面と取付孔３０の内周面との間に、係止突起６７の一部が前方から視認可能となる。
【００２８】
以上説明したように、本実施形態によれば、張出部２４の取付孔３０の内周面に、係止受部３１が形成され、係止受部３１に係止された係止突起６７が取付孔３０内に収容されているから、ハウジング２０において張出部２４を挟んで機器８０が嵌合される側とは反対側に、相手ハウジング９０が嵌合された場合に、その相手ハウジング９０と係止突起６７とが干渉するのが回避される。また、係止突起６７が取付孔３０内に収容されているため、ハウジング２０を後方に拡張させずに済み、コネクタ１０が大型化するのを防止できる。
【００２９】
また、相手ハウジング９０に嵌合された状態で、相手ハウジング９０の外周面と取付孔３０の内周面との間に係止突起６７の一部が視認可能に配置されるため、ゴム栓６０が正規位置に装着されているのかどうかを確認できる。
【００３０】
さらに、取付孔３０が張出部２４から段部２７にかけて貫通する形態とされているため、段部２７の分、取付孔３０の長さが長くなり、係止片６５の長さが適正に確保される。
【００３１】
＜実施形態２＞
図９ないし図１１は、本発明の実施形態２を示す。実施形態２では、張出部２４Ａの取付孔３０Ａの形状及びゴム栓６０Ａの係止片６５Ａの形状が実施形態１とは異なる。その他は、実施形態１と同様であり、実施形態１と同様の構成には同一符号を付し、重複する説明は省略する。
【００３２】
張出部２４Ａ及び段部２７Ａには、図９に示すように、取付孔３０Ａが前後方向に貫通して形成されている。取付孔３０Ａは、張出部２４Ａの前端から後方へ向けてほぼ一定径で延びるスリット状の副孔３６と、副孔３６の後端から段部２７Ａの後端にかけて径方向外向きに拡開しつつ延びる主孔３７とからなる。主孔３７の内側面の後端には、係止受部３１Ａが突出して形成されている。係止受部３１Ａの前面は、外側に向けてオーバハング状に傾く係止受面３８とされている。また、主孔３７の外側面には、後方へ向けて拡開するテーパ状の案内斜面３９が形成されている。
【００３３】
ゴム栓６０Ａの係止片６５Ａは、ハウジング２０Ａのゴム栓装着面２８Ａから離間して配置される。係止片６５Ａの外側面には、先端に向けて内向きに傾斜する案内受面７１が形成されている。また、係止片６５Ａの内側面の先端部には、係止突起６７Ａが内向きに突出して形成されている。そして、係止突起６７Ａの後面は、内側へ向けてオーバハング状に傾斜する係止面７２とされている。
【００３４】
ゴム栓６０Ａがハウジング２０Ａに装着される過程では、図１０に示すように、係止片６５Ａの係止突起６７Ａが係止受部３１Ａに乗り上げられるとともに、ゴム栓６０Ａの前側部分が外向きに撓み変形させられる。また、係止片６５Ａの案内受面７１が取付孔３０Ａの案内斜面３９を摺動し、係止突起６７Ａが取付孔３０Ａの奥側内方へ前のめりに進入して行く。
【００３５】
ゴム栓６０Ａがハウジング２０Ａに正規装着されると、図１１に示すように、係止突起６７Ａが係止受部３１Ａの前面側に回り込み、係止突起６７Ａの係止面７２が係止受部３１Ａの係止受面３８の前方に係止可能に配置される。このとき、取付孔３０Ａの案内斜面３９と係止片６５Ａの案内受面７１とは、若干の隙間をあけつつほぼ平行に対向配置される。
【００３６】
上記の状態で、ゴム栓６０Ａを後方へ引っ張ると、係止突起６７Ａと係止受部３１Ａとが緊密に噛み合い、ゴム栓６０Ａのそれ以上後方への変位が阻止される。したがって、実施形態２によれば、ゴム栓６０Ａの抜け止めが確実になされる。また、取付孔３０Ａの内周面には係止片６５Ａを係止受部３１Ａとの係止位置に誘導する案内斜面３９が形成されているため、ゴム栓６０Ａの装着動作に連動して、係止片６５Ａが係止位置へと確実に至らしめられる。
【００３７】
＜他の実施形態＞
本発明は上記記述及び図面によって説明した実施形態に限定されるものではなく、例えば次のような実施形態も本発明の技術的範囲に含まれる。
（１）ゴム栓が嵌合相手としての相手ハウジングとハウジングとの間に挟まれる構成であってもよい。
（２）実施形態１では、張出部の後面における取付孔の開口縁に係止突起の誘い込みのための案内面が形成されていてもよい。
（３）相手ハウジングが嵌合された状態で、取付孔の全体が視認可能とされる形態であってもよい。
（４）相手ハウジングが嵌合された状態で、取付孔の全体が相手ハウジングの外壁によって隠蔽される形態であってもよい。
（５）取付孔が張出部を貫通しない有底孔として構成されるものであってもよい。
【符号の説明】
【００３８】
１０…コネクタ
２０、２０Ａ…ハウジング
２４、２４Ａ…張出部
２７、２７Ａ…段部
３０、３０Ａ…取付孔
３１、３１Ａ…係止受部
３９…案内斜面
６０、６０Ａ…ゴム栓
６５、６５Ａ…係止片
６７、６７Ａ…係止突起
８０…機器（嵌合相手）
８３…誘い込み部
９０…相手ハウジング
【図１】
2012128959.tif 000003
【図２】
2012128959.tif 000004
【図３】
2012128959.tif 000005
【図４】
2012128959.tif 000006
【図５】
2012128959.tif 000007
【図６】
2012128959.tif 000008
【図７】
2012128959.tif 000009
【図８】
2012128959.tif 000010
【図９】
2012128959.tif 000011
【図１０】
2012128959.tif 000012
【図１１】
2012128959.tif 000013